(57)【要約】【課題】操作表示部側のみで発光させる場合に比べて、視認性を高めることができる画像形成装置を提供する。【解決手段】一方の面に操作表示部が設けられた操作表示装置本体１１２と、前記操作表示装置本体１１２の前記操作表示部１２６の反対側が覆われる被覆部材１４０と、を有し、前記操作表示装置本体１１２の前記操作表示部１２６とは反対側の面の上方に、前記被覆部材１４０から突出され、処理の状態に応じた発光が行われる後方発光部１８０が設けられた操作表示装置１１０を有し、前記操作表示装置１１０が画像形成装置本体１２の上部に取り付けられている画像形成装置１０である。【選択図】図３
2018154044.tif 000002
【特許請求の範囲】
【請求項１】
一方の面に操作表示部が設けられた操作表示装置本体と、
前記操作表示装置本体の前記操作表示部の反対側が覆われる被覆部材と、を有し、
前記操作表示装置本体の前記操作表示部とは反対側の面の上方に、前記被覆部材から突出され、処理の状態に応じた発光が行われる後方発光部が設けられた操作表示装置を有し、
前記操作表示装置が画像形成装置本体の上部に取り付けられている画像形成装置。
【請求項２】
前記後方発光部は、前記操作表示装置本体の前記操作表示部が設けられた面から前記被覆部材の前記後方発光部が突出された部分までの長さに対して、少なくとも９０パーセントより長い長さで突出されている請求項１に記載の画像形成装置。
【請求項３】
前記被覆部材の少なくとも前記後方発光部が突出された面は、前記操作表示装置本体の上部から下方に向かって傾斜している請求項１又は２に記載の画像形成装置。
【請求項４】
前記操作表示装置本体の前記操作表示部が設けられた面には、前方発光部が設けられ、
前記前方発光部は、前記後方発光部と同調した発光が行われる請求項１乃至３のいずれかに記載の画像形成装置。
【請求項５】
前記前方発光部は、前記操作表示装置本体の前記操作表示部が設けられた面の上方に設けられている請求項４に記載の画像形成装置。
【請求項６】
前記操作表示装置は、前記操作表示装置を左右方向及び上下方向に回転移動させることができる支柱部材を介して前記画像形成装置本体に取り付けられている請求項１乃至５のいずれかに記載の画像形成装置。
【請求項７】
前記画像形成装置本体には、突き出した設置部が設けられ、
前記設置部に前記操作表示装置が設けられる請求項１乃至６のいずれかに記載の画像形成装置。
【請求項８】
一方の面に操作表示部が設けられた操作表示装置本体と、
前記操作表示部が視認できない方向から視認可能であって、処理の状態に応じた発光が行われる後方発光部が設けられた操作表示装置と、を有し、
前記操作表示装置が画像形成装置本体の上部に取り付けられている画像形成装置。
【発明の詳細な説明】
【技術分野】
【０００１】
本発明は、画像形成装置に関する。
【背景技術】
【０００２】
視認性を高めた表示を行う発明として、例えば、下記特許文献１には、光源と、その光源から発せられた光が照射されることで発光表示を行う表示部と、を備える表示装置において、前記光源と前記表示部との間に設けられ、前記光源からの光が入射されてその光を集光する集光レンズと、前記光源と前記表示部との間の、前記集光レンズよりも前記表示部側に設けられ、前記集光レンズから出射された光が入射されてその光を拡散する拡散レンズと、を備え、前記拡散レンズから出射された光が前記表示部に照射されることを特徴とする表示装置が開示されている。
【０００３】
また、下記特許文献２には、固定部と、レンズと、前記レンズを保持し、前記固定部に対して前記レンズの光軸方向に移動するレンズ移動体と、前記固定部及び前記レンズ移動体のうち一方に設けられ、前記光軸方向に分布するインダクタと、前記固定部及び前記レンズ移動体のうち他方に設けられ、前記光軸方向に延びて前記インダクタに対向し、前記光軸に直交する方向の幅が前記光軸方向の位置に応じて変化する導電部材と、前記インダクタのインダクタンスの変化に応じた信号を生成する信号生成手段と、前記信号生成手段により生成された信号に基づいて前記レンズ移動体の前記固定部に対する位置を検出する位置検出手段と、を備えた光学装置が開示されている。
【先行技術文献】
【特許文献】
【０００４】
【特許文献１】特開２０１２−００２９６８号公報
【特許文献２】特開２００６−１７８３６２号公報
【発明の概要】
【発明が解決しようとする課題】
【０００５】
画像形成装置等に備えられた操作表示装置は、エラー等の信号が発光される発光部が表示側のみに設けられる場合があるため、反対側からは視認ができず、視認するために表示面側に移動する必要があるという課題がある。
【０００６】
本発明は、操作表示部側のみで発光させる場合に比べて、視認性を高めることができる画像形成装置を提供することを目的とする。
【課題を解決するための手段】
【０００７】
請求項１に係る本発明は、一方の面に操作表示部が設けられた操作表示装置本体と、前記操作表示装置本体の前記操作表示部の反対側が覆われる被覆部材と、を有し、前記操作表示装置本体の前記操作表示部とは反対側の面の上方に、前記被覆部材から突出され、処理の状態に応じた発光が行われる後方発光部が設けられた操作表示装置を有し、前記操作表示装置が画像形成装置本体の上部に取り付けられている画像形成装置である。
【０００８】
請求項２に係る本発明は、前記後方発光部は、前記操作表示装置本体の前記操作表示部が設けられた面から前記被覆部材の前記後方発光部が突出された部分までの長さに対して、少なくとも９０パーセントより長い長さで突出されている請求項１に記載の画像形成装置である。
【０００９】
請求項３に係る本発明は、前記被覆部材の少なくとも前記後方発光部が突出された面は、前記操作表示装置本体の上部から下方に向かって傾斜している請求項１又は２に記載の画像形成装置である。
【００１０】
請求項４に係る本発明は、前記操作表示装置本体の前記操作表示部が設けられた面には、前方発光部が設けられ、前記前方発光部は、前記後方発光部と同調した発光が行われる請求項１乃至３のいずれかに記載の画像形成装置である。
【００１１】
請求項５に係る本発明は、前記前方発光部は、前記操作表示装置本体の前記操作表示部が設けられた面の上方に設けられている請求項４に記載の画像形成装置である。
【００１２】
請求項６に係る本発明は、前記操作表示装置は、前記操作表示装置を左右方向及び上下方向に回転移動させることができる支柱部材を介して前記画像形成装置本体に取り付けられている請求項１乃至５のいずれかに記載の画像形成装置である。
【００１３】
請求項７に係る本発明は、前記画像形成装置本体には、突き出した設置部が設けられ、前記設置部に前記操作表示装置が設けられる請求項１乃至６のいずれかに記載の画像形成装置である。
【００１４】
請求項８に係る本発明は、一方の面に操作表示部が設けられた操作表示装置本体と、前記操作表示部が視認できない方向から視認可能であって、処理の状態に応じた発光が行われる後方発光部が設けられた操作表示装置と、を有し、前記操作表示装置が画像形成装置本体の上部に取り付けられている画像形成装置である。
【発明の効果】
【００１５】
請求項１に係る本発明によれば、操作表示部側のみで発光させる場合に比べて、視認性を高めることができる。
【００１６】
請求項２に係る本発明によれば、請求項１に係る本発明の効果に加えて、後方発光部が操作表示部が設けられた面から被覆部材の後方発光部が突出された部分までの長さに対して、９０パーセントより短い長さの後方発光部に比べて、視認性を高めることができる。
【００１７】
請求項３に係る本発明によれば、請求項１又は２に係る本発明の効果に加えて、被覆部材が傾斜していない場合に比べて、視認性を高めることができる。
【００１８】
請求項４に係る本発明によれば、請求項１乃至３のいずれかに係る本発明の効果に加えて、後方発光部と同調した発光が行われる前方発光部が設けられていない場合に比べて、視認性を高めることができる。
【００１９】
請求項５に係る本発明によれば、請求項４に係る本発明の効果に加えて、前方発光部が操作表示装置本体の操作表示部が設けられた面の下方に設けられた場合に比べて、視認性を高めることができる。
【００２０】
請求項６に係る本発明によれば、請求項１乃至５のいずれかに係る本発明の効果に加えて、操作表示装置が左右方向及び上下方向に回転移動された場合でも、視認性を高めることができる。
【００２１】
請求項７に係る本発明によれば、請求項１乃至６のいずれかに係る本発明の効果に加えて、設置部を設けない場合に比べて、操作表示装置を他の装置の配置を阻害しない位置に設置することができる。
【００２２】
請求項８に係る本発明によれば、操作表示部側のみで発光させる場合に比べて、視認性を高めることができる。
【図面の簡単な説明】
【００２３】
【図１】実施形態に係る画像形成装置を示す一方から見た外観図である。
【図２】実施形態に係る画像形成装置を示す断面図である。
【図３】実施形態に係る操作表示装置を示す斜視図である。
【図４】実施形態に係る操作表示装置を示す正面図である。
【図５】実施形態に係る操作表示装置を示す後面図である。
【図６】図６Ａは実施形態に係る操作表示装置を示す平面図であり、図６Ｂは操作表示装置を左右方向に回転させた場合を示す平面図である。
【図７】実施形態に係る操作表示装置の一方から見た側面図である。
【図８】図８Ａは実施形態に係る操作表示装置を上方に回転させた場合の一方から見た側面図であり、図８Ｂは下方に回転させた場合の側面図である。
【図９】前方発光部及び後方発光部を示す断面図である。
【図１０】図１０Ａは前方発光部の前方レンズ部材を外した状態を示す斜視図であり、図１０Ｂは前方発光部を示す斜視図である。
【図１１】図１１Ａは後方発光部の後方レンズ部材を透過した状態を示す斜視図であり、図１１Ｂは後方発光部を示す斜視図である。
【図１２】図１２Ａ〜図１２Ｃは操作表示装置を左右方向の一方に回転させる状態を示す側面図である。
【図１３】図１３Ａ〜図１３Ｃは操作表示装置を左右方向の他方に回転させる状態を示す側面図である。
【図１４】図１４Ａは操作表示装置を上方に回転させた状態を示す正面図であり、図１４Ｂは上方及び左方向に回転させた状態を示す正面図であり、図１４Ｃは上方及び右方向に回転させた状態を示す正面図である。
【図１５】図１５Ａは操作表示装置を上方に回転させた状態を示す後面図であり、図１５Ｂは上方及び左方向に回転させた状態を示す後面図であり、図１５Ｃは上方及び右方向に回転させた状態を示す後面図である。
【図１６】図１６Ａは操作表示装置を下方に回転させた状態を示す正面図であり、図１６Ｂは下方及び左方向に回転させた状態を示す正面図であり、図１６Ｃは下方及び右方向に回転させた状態を示す正面図である。
【図１７】図１７Ａは操作表示装置を下方に回転させた状態を示す後面図であり、図１７Ｂは下方及び左方向に回転させた状態を示す後面図であり、図１７Ｃは下方及び右方向に回転させた状態を示す後面図である。
【発明を実施するための形態】
【００２４】
以下、図面を参照して本発明の各実施形態を説明する。ただし、以下に示す実施形態は、それぞれ本発明の技術思想を具体化するための画像形成装置を例示するものであって、本発明をこれに特定することを意図するものではなく、特許請求の範囲に含まれるその他の実施形態のものにも等しく適応し得るものである。
【００２５】
［実施形態］
図１〜図１７を参照して、実施形態に係る画像形成装置１０について説明する。実施形態の画像形成装置１０は、図１、図２に示すように、画像形成装置本体１２を有し、画像形成装置本体１２の上部側、すなわち、画像形成装置１０が配置される床面等とは反対側に、画像等の読み取りが行われる原稿読取装置１００と、ユーザーインターフェイス（ＵＩ）として、各種の操作や表示が行われる操作表示装置１１０と、を有し、また、画像形成装置本体１２の側面（図２の左側）に、記録媒体９０が配置され、画像形成装置本体１２内に送られる開閉装置としての手差しユニット８０を有している。また、画像形成装置本体１２の内部に、記録媒体９０を供給する記録媒体供給装置１８と、記録媒体９０に転写する画像を形成する画像形成手段１４と、定着装置３６とが搭載され、画像形成装置本体１２の上部であって、原稿読取装置１００の下方側に記録媒体９０が排出される排出部１６を有し、これらを通過するように記録媒体９０を搬送する搬送路５６が設けられている。
【００２６】
また、画像形成装置本体１２の手差しユニット８０は、開いた状態において画像形成装置本体１２内に手差しユニット８０側から供給される記録媒体９０が配置され（不図示）、閉じた状態において画像形成装置本体１２の側面に収納されるようになっている（図１、図２参照）。
【００２７】
原稿読取装置１００は、図１に示すように、原稿読取装置本体１０２と、この原稿読取装置本体１０２に対して一端が回転可能に支持され他端が開閉自在に設けられた開閉体としての原稿搬送装置１０４とを有する。また、原稿読取装置１００は、排出部１６との間に空間が設けられるように、画像形成装置本体１２の上方に配置されている。
【００２８】
操作表示装置１１０は、図１に示すように、一方に操作及び表示が行われる操作表示部１２６が設けられた操作表示装置本体１１２を有している。また操作表示装置１１０は、画像形成装置本体１２の上部の原稿読取装置１００が設置された面から床面と略平行に突き出した、例えば、設置部としての所定面積を有する設置台１０６上に設けられている。このとき、操作表示装置１１０は、操作表示装置本体１１２の操作表示部１２６とは反対側が設置台１０６上に取り付けられた支柱部材２００に接続されて設けられている。また、実施形態の操作表示装置１１０には、画像形成装置１０の状況を発信するために所定の信号が発光される複数の発光部が設けられている。なお、操作表示装置１１０が設けられるのは、所定面積を有する設置台１０６に限らず、アーム状の設置腕とすることもできる。
【００２９】
記録媒体供給装置１８は、記録媒体９０を積層した状態で収納する記録媒体収納容器５０と、この記録媒体収納容器５０に収納された最上位の記録媒体９０を抽出するピックアップロール５１と、抽出した記録媒体９０を画像形成手段１４に向けて搬送する搬送ロール５２と、記録媒体９０を捌き、画像形成手段１４に複数枚の記録媒体９０が重なった状態で搬送されることを防止するリタードロール５４とが設けられている。なお、実施形態では、記録媒体供給装置１８は、複数、例えば４段に設けられており、それぞれの構成は共通している。
【００３０】
画像形成手段１４は、例えば、イエロー（Ｙ）、マゼンタ（Ｍ）、シアン（Ｃ）、黒（Ｋ）の４色に対応する画像形成ユニット２０と、光書込み装置２２と、転写装置２４とにより構成されている。なお、画像形成ユニット２０及びこれらの構成要素は、形成する画像の色以外は同様の構成とされている。
【００３１】
画像形成ユニット２０は、それぞれ交換部材として用いられ、画像形成装置本体１２に対して着脱自在に設けられており、画像形成装置本体１２の後側（図２における右側）から順に、Ｙ、Ｍ、Ｃ、Ｋの順に並べられている。
【００３２】
画像形成ユニット２０は、例えばカラー画像を形成する電子写真方式のものである。画像形成ユニット２０はそれぞれ、画像形成ユニット本体２６を備え、画像形成ユニット本体２６内には、現像剤像を保持するドラム形状の像保持体２８と、この像保持体２８を一様に帯電する帯電ロールを備えた帯電手段としての帯電装置３０と、像保持体２８に書き込まれた潜像を現像剤（トナー）で現像する現像装置３２と、像保持体２８に残留する廃現像剤を例えば掻き取って清掃する清掃装置３４とが設けられている。
【００３３】
現像装置３２は、それぞれが収納するＹ、Ｍ、Ｃ、Ｋの現像剤を用いて、対応する像保持体２８に形成された潜像を現像する。
【００３４】
また、光書込み装置２２は潜像形成装置として用いられ、例えば走査型のレーザ露光装置からなり、像保持体２８のそれぞれの表面に潜像を形成する。なお、光書込み装置２２は、他の実施例としてＬＥＤや面発光レーザ等を用いることができる。
【００３５】
転写装置２４は、転写体として用いられる被転写部材３８と、一次転写装置として用いられる一次転写ロール４０と、二次転写装置として用いられる二次転写ロール４２と、清掃装置４４と、で構成されている。
【００３６】
被転写部材３８は、例えば無端状のベルト形状であり、５つの支持ロール４６ａ、４６ｂ、４６ｃ、４６ｄ、４６ｅによって、図２に矢印で示す方向に回転することができるように支持されている。また、支持ロール４６ａ、４６ｂ、４６ｃ、４６ｄ、４６ｅのうち少なくとも一つはモータ等の動力源（図示省略）に連結されており、この動力源からの駆動伝達を受けて回転することで、被転写部材３８が回転駆動するようになっている。
【００３７】
支持ロール４６ａは、二次転写ロール４２と対向するように配置され、この二次転写ロール４２のバックアップロールとして機能し、二次転写ロール４２と支持ロール４６ａとで挟まれる部分が二次転写位置となっている。
【００３８】
一次転写ロール４０は、それぞれに対応する現像装置３２により像保持体２８の表面に形成された現像剤像を、被転写部材３８に転写する。
【００３９】
また、二次転写ロール４２は、被転写部材３８に転写されたＹ、Ｍ、Ｃ、Ｋの現像剤像を、記録媒体９０に対して転写する。
【００４０】
清掃装置４４は、二次転写ロール４２で記録媒体９０に対して各色の現像剤像が転写された後に、被転写部材３８の表面に残留する各色の現像剤を掻き落とす掻き落とし部材４８を有する。そして、掻き落とし部材４８によって掻き落とされた現像剤は、清掃装置４４の本体内に回収される。
【００４１】
搬送路５６は、主搬送路５６ａと、反転搬送路５６ｂとにより構成されている。
【００４２】
主搬送路５６ａは、記録媒体供給装置１８又は手差しユニット８０から供給された記録媒体９０を画像形成手段１４に搬送し、画像が形成された記録媒体９０を排出部１６に排出する。この主搬送路５６ａには記録媒体９０の搬送方向上流側から順に、搬送ロール５２、リタードロール５４、レジストロール５８、転写装置２４、定着装置３６、及び排出ロール６０が配置されている。
【００４３】
レジストロール５８は、記録媒体供給装置１８側から搬送されてきた記録媒体９０の先端部を一時的に停止させ、画像形成されるタイミングと合致するように記録媒体９０を転写装置２４に向けて送り出す。
【００４４】
定着装置３６は、加熱部としての加熱ロール６６及び加圧部７６を有し、これら加熱ロール６６と加圧部７６との間を通過する記録媒体９０を加熱し、加圧することで、記録媒体９０に現像剤像が定着される。
【００４５】
排出ロール６０は、定着装置３６により現像剤が定着された記録媒体９０を、排出部１６に排出される。
【００４６】
また、反転搬送路５６ｂは、一方の面に現像剤像が形成された記録媒体９０を反転させつつ、再び画像形成手段１４に向けて供給する搬送路であり、反転搬送路５６ｂには、例えば二つの反転搬送ロール６２ａ、６２ｂが配置されている。
【００４７】
そして、記録媒体９０が主搬送路５６ａから排出ロール６０に搬送され、この記録媒体９０の後端部が排出ロール６０に挟みこまれた状態でこの排出ロール６０が逆回転することで、記録媒体９０が反転搬送路５６ｂに供給される。反転搬送路５６ｂに供給された記録媒体９０は、反転搬送ロール６２ａ、６２ｂによって、レジストロール５８の上流の位置へと搬送される。
【００４８】
次に、主に図３〜図１１を参照して、実施形態の操作表示装置１１０について説明する。操作表示装置１１０は、例えば、液晶パネルやタッチパネル、操作ボタン等で構成された操作表示部１２６を有する操作表示装置本体１１２を有し、操作表示装置本体１１２の操作表示部１２６とは反対側には、被覆部材としてのカバー部材１４０が設けられ、こんカバー部材１４０により覆われている。また、操作表示装置１１０は、操作表示装置本体１１２の操作表示部１２６とは反対側、すなわちカバー部材１４０側と接続され、画像形成装置本体１２の上部に設けられた設置台１０６に載置される所定長さであって、所定の角度に回転可能な支柱部材２００が設けられている。なお、操作表示装置１１０は、画像形成装置本体１２に取り付けられた状態では、画像形成装置１０において、最も高い位置となるように配置されており、原稿読取装置１００よりも高い位置になっている（図１参照）。
【００４９】
操作表示装置本体１１２は、図３〜図１１に示すように、操作表示部１２６が設けられた前面１１４と、カバー部材１４０が設けられる後面１１６と、画像形成装置本体１２側に配置される底面１２０と、底面１２０とは反対側の上面１１８と、一方の側面１２２及び他方の側面１２４を有し、操作表示装置本体１１２の後面１１６に支柱部材２００が接続されている。なお、実施形態の操作表示部１２６は、液晶パネルやタッチパネル等の画面１２８と、少なくとも１つ、実施形態では２つのボタン１３０と、が設けられている。
【００５０】
また、操作表示装置本体１１２には、操作表示部１２６が設けられた前面１１４であって、操作表示部１２６の画面１２８に比べて上方の上面１１８側に、画像形成装置１０の処理状態に応じた所定の信号が発光される前方発光部１６０が設けられている。この前方発光部１６０は、例えば、上面１１８の長手方向に沿って一方の側面１２２側と他方の側面１２４側の間に長方形状に設けられている。このように前方発光部１６０を操作表示装置本体１１２の前面１１４側に長方形状に形成することで、使用者の視認できる範囲を広げることができる。なお、前方発光部１６０は画面１２８内に設けるようにすることもできる。
【００５１】
また、前方発光部１６０は、図９、図１０に示すように、発光部材として、例えば、３色のＬＥＤ（ｌｉｇｈｔ  ｅｍｉｔｔｉｎｇ  ｄｉｏｄｅ）により構成されており、その発光する色に応じて画像形成装置１０の状態が報知され、使用者に確認されるようになっている。なお、実施形態の前方発光部１６０のＬＥＤは、青色ＬＥＤ１６４、緑色ＬＥＤ１６６、橙色ＬＥＤ１６８の３色が用いられている（以下、青色ＬＥＤ１６４、緑色ＬＥＤ１６６、橙色ＬＥＤ１６８をまとめてＬＥＤ１６４〜１６８という場合がある。）。
【００５２】
前方発光部１６０は、操作表示装置本体１１２内に設けられた、ＬＥＤ１６４〜１６８と、操作表示装置本体１１２の前面１１４側に形成された前方溝部１３２に嵌り込むように形成されたブロック状の前方レンズ部材１６２と、で構成されており、前方レンズ部材１６２は、操作表示装置本体１１２内に取付部材１７０により取り付けられている。
【００５３】
そして、操作表示装置本体１１２内に設けられた各ＬＥＤ１６４〜１６８の光が前方レンズ部材１６２を通ることによって前方レンズ部材１６２が発光し、操作表示装置１１０の外部から前方発光部１６０を視認することができるようになる。
【００５４】
また、前方レンズ部材１６２は、ＬＥＤ１６４〜１６８側から離れるにつれて狭くなるように形成され、操作表示装置本体１１２の後面１１６側に配置される側が前面１１４側に向かうように傾斜した形状となっている。
【００５５】
また、前方発光部１６０の各ＬＥＤ１６４〜１６８の配置は、操作表示装置本体１１２の前面１１４側から後面１１６側に向かって青色ＬＥＤ１６４、緑色ＬＥＤ１６６、橙色ＬＥＤ１６８の順に並べられて設けられている。これは、波長の長さが３色のうち橙色ＬＥＤ１６８が最も長く、次に、緑色ＬＥＤ１６６、青色ＬＥＤ１６４の順と短くなっているため、波長の短い青色ＬＥＤ１６４を発光される前面１１４に近い側に配置し、波長の長い橙色ＬＥＤ１６８を遠い側に配置することで、これらの色の特性を生かした配置とすることで、均一された各色の発光を行うことができるようになっている。
【００５６】
また、操作表示装置本体１１２の後面１１６側を覆うカバー部材１４０は、図３〜図９に示すように、操作表示装置本体１１２の後面１１６側を覆うように取り付けられるように開口された前部１４２と、前部１４２の反対側であって、後述する支柱部材２００の一部が覆われる覆い部２１２が形成された後部１４４と、後述する後方発光部１８０が突出される後方溝部１５４が形成された上部１４６と、支柱部材２００が配置されるように一部が切り掛かれた底部１４８と、一方の側部１５０及び他方の側部１５２で囲まれた箱状体で形成されている。
【００５７】
また、カバー部材１４０の上部１４６、底部１４８、一方の側部１５０及び他方の側部１５２は、前部１４２側から後部１４４に亘って、傾斜して形成されている。さらに、上部１４６、底部１４８、一方の側部１５０及び他方の側部１５２の各角部は、それぞれの面が傾斜することに伴って傾斜しており、曲面状に形成されている。
【００５８】
また、カバー部材１４０の後部１４４には、操作表示装置本体１１２の後面１１６と支柱部材２００が接続される部分が覆われる覆い部２１２が突出して形成されている。
【００５９】
また、カバー部材１４０の上部１４６には、傾斜した一部が切り掛かれ、後述する後方発光部１８０の後方レンズ部材１８２が突出される後方溝部１５４が略中央部分に形成されている。
【００６０】
また、操作表示装置本体１１２の後面１１６の上面１１８側には、前方発光部１６０と同調した画像形成装置１０の処理状態に応じた所定の信号が発光される後方発光部１８０が設けられている。この後方発光部１８０は、カバー部材１４０の上部１４６に形成された後方溝部１５４から突出した状態で設けられる。
【００６１】
なお、後方発光部１８０は、前方発光部１６０と同様に、図９、図１１に示すように、発光部材として、例えば、３色のＬＥＤ（ｌｉｇｈｔ  ｅｍｉｔｔｉｎｇ  ｄｉｏｄｅ）により構成されており、その発光する色に応じて画像形成装置１０の状態が報知され、使用者に確認されるようになっている。また、実施形態の後方発光部１８０のＬＥＤも前方発光部１６０と同様に、青色ＬＥＤ１８４、緑色ＬＥＤ１８６、橙色ＬＥＤ１８８の３色が用いられている（以下、青色ＬＥＤ１８４、緑色ＬＥＤ１８６、橙色ＬＥＤ１８８をまとめてＬＥＤ１８４〜１８８という場合がある。）。
【００６２】
後方発光部１８０は、操作表示装置本体１１２内に設けられたＬＥＤ１８４〜１８８と、操作表示装置本体１１２の後面１１６側であって、カバー部材１４０の上部１４６から突出するように設けられたブロック状の後方レンズ部材１８２と、で構成されている。
【００６３】
そして、操作表示装置本体１１２内に設けられた各ＬＥＤ１８４〜１８８の光が後方レンズ部材１８２を通ることによって後方レンズ部材１８２が発光し、操作表示装置１１０の外部から後方発光部１８０を視認することができるようになる。
【００６４】
なお、後方発光部１８０のＬＥＤ１８４〜１８８は、操作表示装置本体１１２の後面１１６側に傾斜した状態で３色が縦方向、すなわち、上面１１８側から後面１１６側に並んで設けられている。
【００６５】
後方レンズ部材１８２は、操作表示装置本体１１２に傾斜した状態で取り付けられた各ＬＥＤ１８４〜１８８側に配置される底面部１９０と、底面部１９０から略三角形状に立設した立設部１９２とを有し、底面部１９０には、操作表示装置本体１１２内にネジ等で取り付けられる一対の取付部１９４がそれぞれ形成されている。
【００６６】
また、後方レンズ部材１８２は、操作表示装置本体１１２に取り付けられ、カバー部材１４０の上部１４６の後方溝部１５４から突出した状態において、上面１１８側の立設部１９２は操作表示装置本体１１２の上面１１８と略平行となり、また、後面１１６側の立設部１９２は、操作表示装置本体１１２の後面１１６と略平行となるように略直角に設けられる。すなわち、後方発光部１８０の後方レンズ部材１８２は、操作表示装置１１０の傾斜したカバー部材１４０から三角形状に突出されるようになる。なお、このとき、上面１１８側の立設部１９２は、上面１１８を越えない位置、すなわち、上面１１８より低くい位置となるように配置されている。
【００６７】
また、後方レンズ部材１８２の立設部１９２は、カバー部材１４０の上部１４６から突出する長さが、操作表示装置本体１１２の幅、具体的には、操作表示装置本体１１２の前面１１４からカバー部材１４０の後部１４４の後方レンズ部材１８２が突出するまでの幅（後方溝部１５４までの幅）の長さＸに対して、例えば、約９０パーセントの長さＹとなるように形成されている（図７参照）。すなわち、後方発光部１８０の後方レンズ部材１８２の突出する長さが操作表示装置本体１１２の前面１１４からカバー部材１４０の後部１４４の後方レンズ部材１８２が突出する後方溝部１５４までの幅に対して短すぎると、操作表示装置１１０を見る位置により、操作表示装置本体１１２に後方発光部１８０が隠れることで、視認できないおそれがある。
【００６８】
なお、後方発光部１８０の各ＬＥＤ１８４〜１８８の配置は、操作表示装置本体１１２の上面１１８側から後面１１６側に向かって青色ＬＥＤ１８４、緑色ＬＥＤ１８６、橙色ＬＥＤ１８８の順に並べられて設けられている。これは、上記の前方発光部１６０で述べたのと同様に、波長の長さが３色のうち橙色ＬＥＤ１８８が最も長く、次に、緑色ＬＥＤ１８６、青色ＬＥＤ１８４の順と短くなっているため、これらの色の特性を生かした配置とすることで、均一された各色の発光を行うことができるようになっている。
【００６９】
そして、実施形態の操作表示装置１１０では、前面１１４に設けられた前方発光部１６０と後面１１６側に設けられた後方発光部１８０とが、所定の色等で発光することで、画像形成装置１０の状態を確認することができるようになっている。例えば、画像形成装置１０が正常に作動している場合は緑色に発光し、各種の通信を送受信している場合は青色に発光し、エラーが発生している場合は橙色に発光されるようになっている。
【００７０】
支柱部材２００は、図３〜図８に示すように、所定長さの柱状体で形成され、一方が画像形成装置本体１２に設けられた設置台１０６上に載置され、他方が操作表示装置本体１１２の後面１１６側と接続されている。
【００７１】
また、支柱部材２００は、操作表示装置１１０を所定の角度に移動することができる構成を有しており、操作表示装置１１０を水平方向（操作表示装置１１０を正面から見て左右方向、図６Ｂ参照）に回転移動させる第１軸部２０８と、操作表示装置１１０を垂直方向（操作表示装置１１０を正面から見て上下方向、図８参照）に回転移動させる第２軸部２１０とを有している。なお、第１軸部２０８は支柱部材２００を覆うカバー体に覆われ、また、第２軸部２１０は、カバー部材１４０の覆い部２１２に覆われている。
【００７２】
支柱部材２００は、第１軸部２０８を挟んで、設置台１０６側は、設置台１０６に載置され、固定された支柱部２０２となり、操作表示装置１１０側は、支柱部２０２に対して回転される可動部２０４となっている。なお、支柱部２０２の設置台１０６側には、設置台１０６に載置される載置部２０６が設けられている。
【００７３】
また、操作表示装置１１０が移動される第１軸部２０８の回転角度は、例えば、正面方向から右側に約４５°及び正面方向から左側に約４５°の範囲となっており、支柱部２０２に対して第１軸部２０８を軸に可動部２０４が操作表示装置１１０と共に移動させることができるようになる（図６Ｂ参照）。
【００７４】
また、支柱部材２００の可動部２０４が操作表示装置本体１１２の後面１１６と接続された部分が第２軸部２１０となっており、この第２軸部２１０は、第１軸部２０８に対して直交する方向に軸線を有している。
【００７５】
そして、操作表示装置１１０が移動される第２軸部２１０の回転角度は、例えば、正面方向から操作表示部１２６が上方を向くように回転される側、すなわち、操作表示装置１１０の上面１１８側が後面１１６側の後方に倒れる方向に回転される側（以下、単に上方という）に約１０°（図８Ａ参照）及び正面方向から操作表示部１２６が下方を向くように回転される側、すなわち、操作表示装置１１０の上面１１８側が前面１１４側に倒れる方向に回転される側（以下、単に下方という。）に約３５°（図８Ｂ参照）の範囲となっており、可動部２０４に対して操作表示装置１１０を移動させることができるようになる。
【００７６】
また、操作表示装置１１０は、第１軸部２０８の回転と第２軸部２１０の回転を組み合わせることができ、左右方向と上下方向にそれぞれ移動させることで、使用者の使いやすい位置に配置させることができるようになる。
【００７７】
なお、実施形態の操作表示装置１１０では、操作表示装置本体１１２の前面１１４に設けられた前方発光部１６０と後面１１６に設けられた後方発光部１８０により、使用者は略３６０°の広範囲から操作表示装置１１０の前方発光部１６０及び後方発光部１８０の発光を確認することができるようになる。
【００７８】
まず、主に図３〜図８、図１２．図１３を参照して操作表示装置１１０が正面を向いている場合（上下方向に移動していない場合）の各発光部１６０、１８０の視認について説明する。
【００７９】
操作表示装置１１０が正面を向いている場合、使用者は、操作表示装置１１０の前面１１４側からは、前方発光部１６０の発光を確認することができ、また、操作表示装置１１０の後面１１６側、一方の側面１２２側及び他方の側面１２４側からは、後方発光部１８０の発光を確認することができる（図４、図５、図７参照）。
【００８０】
また、操作表示装置１１０が正面を向いている場合において、前面１１４、後面１１６、一方の側面１２２及び他方の側面１２４に対して斜め方向から見た場合は、操作表示装置１１０の前方発光部１６０及び後方発光部１８０のいずれかが見えるようになっている。
【００８１】
すなわち、図１２に示すように、一方の側面１２２側から見た状態において、支柱部材２００の第１軸部２０８を軸に操作表示装置１１０の角度を移動し、徐々に前面１１４が見える方向に回転させると、一方の側面１２２側からは後面１１６側の後方発光部１８０が見えていたが、前面１１４側を向くにつれて後方発光部１８０が見えなくなると共に、前面１１４側の前方発光部１６０が見えるようになっている。これは、他方の側面１２４側から見た場合も同様となる。
【００８２】
また、後方発光部１８０の後方レンズ部材１８２が、操作表示装置本体１１２の前面１１４からカバー部材１４０の後部１４４の後方レンズ部材１８２が突出する後方溝部１５４までの幅の長さＸに対して略９０パーセントの長さＹを突出させることで、後方発光部１８０をより見えやすくすることができるようになっている。なお、後方発光部１８０の後方レンズ部材１８２は、使用者が確認可能であれば、操作表示装置本体１１２の幅に対して略９０パーセントの長さより短くすることもでき、また、より確認しやすくするために、より長くすることもできる。
【００８３】
さらに、操作表示装置１１０の後面１１６側には、カバー部材１４０が設けられており、このカバー部材１４０が上部１４６、一方の側部１５０及び他方の側部１５２がそれぞれ傾斜して形成されていることで、後方発光部１８０が見やすくなると共に、カバー部材１４０の例えば、上部１４６の傾斜に光が反射することで、より広範囲から確認することができるようになる。
【００８４】
また、図１３に示すように、一方の側面１２２側から見た状態において、支柱部材２００の第１軸部２０８を軸に操作表示装置１１０の角度を移動し、徐々に後面１１６が見える方向に回転させる場合は、一方の側面１２２側から見えていた後面１１６側の後方発光部１８０が、後面１１６を向くにつれても後方発光部１８０が引続き見えるようになっている。なお、これは、他方の側面１２４側から見た場合も同様となる。
【００８５】
そして、操作表示装置１１０を前面１１４側から見た状態において、操作表示装置１１０を右方向４５°及び左方向４５°に移動させた場合は、常に前面１１４側の前方発光部１６０が見えるようになる（図６Ｂ参照）。なお、実施形態では、操作表示装置１１０が移動可能な左右方向の角度が右方向４５°及び左方向４５°となっているが、これを超えた角度を移動させた場合でも、前面１１４側の前方発光部１６０が見えなくなる前、又は略同時に後面１１６側の後方発光部１８０が見えるようになる。
【００８６】
同様に、操作表示装置１１０を後面１１６側から見た状態において、操作表示装置１１０を右方向４５°及び左方向４５°に移動させた場合は、常に後面１１６側の後方発光部１８０が見えるようになる（図６Ｂ参照）。なお、実施形態では、操作表示装置１１０が移動可能な左右方向の角度が右方向４５°及び左方向４５°となっているが、これを超えた角度を移動させた場合でも、後面１１６側の後方発光部１８０が見えなくなる前、又は略同時に前面１１４側の前方発光部１６０が見えるようになる。
【００８７】
また、上述したようの操作表示装置１１０の角度を左右方向に移動させた場合、広範囲から操作表示装置１１０の前方発光部１６０又は後方発光部１８０を確認することができるようになる。これは、操作表示装置１１０を移動させるほかに、操作表示装置１１０は移動させずに、使用者が操作表示装置１１０を見る位置を変えても同様に操作表示装置１１０を様々な角度から見ることになり、この場合でも、使用者は、操作表示装置１１０の角度を移動させた場合と同様に、前面１１４側の前方発光部１６０又は後面１１６側の後方発光部１８０を確認することができるようになる。
【００８８】
次に、操作表示装置１１０を上下方向に移動させた場合の各発光部１６０、１８０の視認について説明する。
まず、支柱部材２００の第２軸部２１０を軸に操作表示装置１１０を上方に移動させた場合は、図８Ａに示すように、前面１１４側の前方発光部１６０が上方に移動されると共に、後面１１６側の後方発光部１８０が下方に移動される。なお、操作表示装置１１０が移動される角度は約１０°である。
【００８９】
このような場合でも、使用者は、操作表示装置１１０の前面１１４側からは、前方発光部１６０の発光を確認することができ、また、操作表示装置１１０の後面１１６側、一方の側面１２２側及び他方の側面１２４側からは、後方発光部１８０の発光を確認することができる。
【００９０】
また、操作表示装置１１０が上方を向いている場合であっても、操作表示装置１１０を斜め方向から見た場合は、操作表示装置１１０の前方発光部１６０又は後方発光部１８０のいずれかが見えるようになっている。
【００９１】
すなわち、図１４に示すように、一方の側面１２２側から見た状態において、支柱部材２００の第１軸部２０８を軸に操作表示装置１１０の角度を移動し、徐々に前面１１４側が見える方向に回転させると、一方の側面１２２側からは後面１１６側の後方発光部１８０が見えていたが、前面１１４側を向くにつれて後方発光部１８０が見えなくなると共に、前面１１４側の前方発光部１６０が見えるようになっている。これは、他方の側面１２４側から見た場合も同様となる。
【００９２】
また、図１５に示すように、一方の側面１２２側から見た状態において、支柱部材２００の第１軸部２０８を軸に操作表示装置１１０の角度を移動し、徐々に後面１１６が見える方向に回転させると、一方の側面１２２側から見えていた後面１１６側の後方発光部１８０が、後面１１６を向くにつれても後方発光部１８０が引続き見えるようになっている。これは、他方の側面１２４側から見た場合も同様となる。
【００９３】
また、操作表示装置１１０を前面１１４側から見た状態において、操作表示装置１１０を右方向４５°及び左方向４５°移動させた場合は、常に前面１１４側の前方発光部１６０が見えるようになる（図１４Ｂ、図１４Ｃ参照）。なお、実施形態では、操作表示装置１１０が移動可能な左右方向の角度が右方向４５°及び左方向４５°となっているが、これを超えた角度を移動させた場合でも、前面１１４側の前方発光部１６０が見えなくなる前、又は略同時に後面１１６側の後方発光部１８０が見えるようになる。
【００９４】
同様に、操作表示装置１１０を後面１１６側から見た状態において、操作表示装置１１０を右方向４５°及び左方向４５°移動させた場合は、常に後面１１６側の後方発光部１８０が見えるようになる（図１５Ｂ、図１５Ｃ参照）。なお、実施形態では、操作表示装置１１０が移動可能な左右方向の角度が右方向４５°及び左方向４５°となっているが、これを超えた角度を移動させた場合でも、後面１１６側の後方発光部１８０が見えなくなる前、又は略同時に前面１１４側の前方発光部１６０が見えるようになる。
【００９５】
また、上述したようの操作表示装置１１０の角度を左右方向に移動させた場合、広範囲から操作表示装置１１０の前方発光部１６０又は後方発光部１８０を確認することができるようになる。これは、操作表示装置１１０を移動させるほかに、操作表示装置１１０は移動させずに、使用者が操作表示装置１１０を見る位置を変えても同様に操作表示装置１１０を様々な角度から見ることになり、この場合でも、使用者は、操作表示装置１１０の角度を移動させた場合と同様に、前面１１４側の前方発光部１６０又は後面１１６側の後方発光部１８０を確認することができるようになる。
【００９６】
次に、操作表示装置１１０を下方に移動させた場合の各発光部１６０、１８０の視認について説明する。操作表示装置１１０を下方に移動させた場合は、図８Ｂに示すように、前面１１４側の前方発光部１６０が下方に移動されると共に、後面１１６側の後方発光部１８０が上方に移動される。なお、操作表示装置１１０が移動される角度は約３５°である。
【００９７】
このような場合、使用者は、操作表示装置１１０の前面１１４側からは、前方発光部１６０及び後方発光部１８０の発光を確認することができ、また、操作表示装置１１０の後面１１６側、一方の側面１２２側及び他方の側面１２４側からは、後方発光部１８０の発光を確認することができる。
【００９８】
一方、操作表示装置１１０が下方を向いている場合であっても、操作表示装置１１０を斜め方向から見た場合は、操作表示装置１１０の前方発光部１６０又は後方発光部１８０のいずれかが見えるようになっている。
【００９９】
すなわち、図１６に示すように、一方の側面１２２側から見た状態において、支柱部材２００の第１軸部２０８を軸に操作表示装置１１０の角度を移動し、徐々に前面１１４側が見える方向に回転させると、一方の側面１２２側からは後面１１６側の後方発光部１８０が見えていたが、前面１１４側を向くにつれて後方発光部１８０と共に、前面１１４側の前方発光部１６０が見えるようになっている。これは、他方の側面１２４側から見た場合も同様となる。
【０１００】
また、図１７に示すように、一方の側面１２２側から見た状態において、支柱部材２００の第１軸部２０８を軸に操作表示装置１１０の角度を移動し、徐々に後面１１６が見える方向に回転させると、一方の側面１２２側から見えていた後面１１６側の後方発光部１８０が、後面１１６を向くにつれても後方発光部１８０が引続き見えるようになっている。これは、他方の側面１２４側から見た場合も同様となる。
【０１０１】
また、操作表示装置１１０を前面１１４側から見た状態において、操作表示装置１１０を右方向４５°及び左方向４５°移動させた場合は、常に前面１１４側の前方発光部１６０と共に後面１１６の後方発光部１８０が見えるようになる（図１６Ｂ、図１６Ｃ参照）。なお、実施形態では、操作表示装置１１０が移動可能な左右方向の角度が右方向４５°及び左方向４５°となっているが、これを超えた角度を移動させた場合でも、前面１１４側の前方発光部１６０が見えなくなるが、後面１１６側の後方発光部１８０は見えるようになっている。
【０１０２】
同様に、操作表示装置１１０を後面１１６側から見た状態において、操作表示装置１１０を右方向４５°及び左方向４５°移動させた場合は、常に後面１１６側の後方発光部１８０が見えるようになる（図１７Ｂ、図１７Ｃ参照）。なお、実施形態では、操作表示装置１１０が移動可能な左右方向の角度が右方向４５°及び左方向４５°となっているが、これを超えた角度を移動させた場合でも、後面１１６側の後方発光部１８０と共に前面１１４側の前方発光部１６０が見えるようになる。
【０１０３】
また、上述したようの操作表示装置１１０の角度を左右方向に移動させた場合、広範囲から操作表示装置１１０の前方発光部１６０又は後方発光部１８０を確認することができるようになる。これは、操作表示装置１１０を移動させるほかに、操作表示装置１１０は移動させずに、使用者が操作表示装置１１０を見る位置を変えても同様に操作表示装置１１０を様々な角度から見ることになり、この場合でも、使用者は、操作表示装置１１０の角度を移動させた場合と同様に、前面１１４側の前方発光部１６０又は後面１１６側の後方発光部１８０を確認することができるようになる。
【０１０４】
また、操作表示装置１１０の前方発光部１６０及び後方発光部１８０の見え方により、操作表示装置１１０が移動している角度を判断することもできる。
【０１０５】
なお、操作表示装置１１０は、使用者が確認を行いやすくするために、画像形成装置本体１２の設置台１０６に設けられた状態において、操作表示装置１１０の視認が遮られないようにするために、画像形成装置１０の最も高い位置に配置されるようになっており、実施形態では、原稿読取装置１００に比べて高い位置に配置されるような構成とされているが、これに限らず、使用者が確認可能であれば、操作表示装置１１０の少なくとも、前方発光部１６０及び後方発光部１８０が原稿読取装置１００より高い位置に配置されるようにすることもできる。また、設置台１０６を設けずに、画像形成装置本体１２に直接操作表示装置１１０を設置することもできる。
【０１０６】
また、実施形態では、操作表示装置１１０を画像形成装置本体１２から突き出した設置台１０６に設けた場合を説明したが、これに限らず、画像形成装置本体１２に直接操作表示装置１１０を設置することもできる。なお、画像形成装置１０に原稿読取装置１００が設けられていない場合は、画像形成装置本体１２の上部に設けることができる。
【０１０７】
また、実施形態では、操作表示装置１１０の操作表示装置本体１１２の前面１１４に前方発光部１６０及び後面１１６側に後方発光部１８０を設けた場合を説明したが、前面１１４の発光を操作表示部１２６の画面１２８で行い、後面１１６側のみ後方発光部１８０を設けることもできる。
【符号の説明】
【０１０８】
１０  画像形成装置
１２  画像形成装置本体
１００  原稿読取装置
１０６  設置台
１１０  操作表示装置
１１２  操作表示装置本体
１１４  前面
１１６  後面
１１８  上面
１２６  操作表示部
１３２  前方溝部
１４０  （カバー部材）被覆部材
１４４  後部
１４６  上部
１５４  後方溝部
１６０  前方発光部
１６２  前方レンズ部材
１６４  青色ＬＥＤ
１６６  緑色ＬＥＤ
１６８  橙色ＬＥＤ
１８０  後方発光部
１８２  後方レンズ部材
１８４  青色ＬＥＤ
１８６  緑色ＬＥＤ
１８８  橙色ＬＥＤ
２００  支柱部材
２０８  第１軸部
２１０  第２軸部
【図１】
2018154044.tif 000003
【図２】
2018154044.tif 000004
【図３】
2018154044.tif 000005
【図４】
2018154044.tif 000006
【図５】
2018154044.tif 000007
【図６】
2018154044.tif 000008
【図７】
2018154044.tif 000009
【図８】
2018154044.tif 000010
【図９】
2018154044.tif 000011
【図１０】
2018154044.tif 000012
【図１１】
2018154044.tif 000013
【図１２】
2018154044.tif 000014
【図１３】
2018154044.tif 000015
【図１４】
2018154044.tif 000016
【図１５】
2018154044.tif 000017
【図１６】
2018154044.tif 000018
【図１７】
2018154044.tif 000019